(57)【特許請求の範囲】
【請求項１】
上下両端が開口状態に成る容器体の上開口部に凹形状に成る上蓋を着脱自在に設け、容器体の下開口部には中央にノズルを設けた底蓋を着脱自在に設け、前記上蓋の凹形状部に降下する摘みの内側中央に作動部材の上端を連結し、この作動部材の延長上に設けた下側空間部に容器体内部に通ずるポンプ部材を設置し、このポンプ部材の中央部通孔を嵌通した細管材を前記底蓋のノズルに連通し、容器体底面部から液体調味料を噴出させることを特徴とする調味料容器。
【請求項２】
上下両端が開口状態に成る容器体の上開口部に凹形状に成る上蓋を着脱自在に設け、容器体の下開口部には中央にノズルを設けた底蓋を着脱自在に設け、前記上蓋の凹形状部に降下する摘みの内側中央に作動部材の上端を連結し、前記作動部材の下端開口部に連杆を嵌合し、この連杆の延長上に設けた下側空間部にはポンプ部材を設置し、前記連杆の下側空間部の周囲底面部には間隔をおいて多数設けた凹溝から成る凹凸部を形成して前記容器体内部に通ずるようにし、前記ポンプ部材の中央部通孔を嵌通した細管材を前記底蓋のノズルに連通し、容器体底面部から液体調味料を噴出させることを特徴とする調味料容器。
【請求項３】
上蓋上面部の凹形状部の平面周囲の相対位置に凹段部を設けるとともにこれに隣接して凹溝部を設け、この凹段部及び凹溝部に対して摘みの周囲相対位置に設けた回動突爪を位動せしめることによって摘みの作動の停止又は押下を可能にした請求項１又は２に記載した調味料容器。
【発明の詳細な説明】
【０００１】
【発明の属する技術分野】
本発明は、調味料容器に関するものである。
【０００２】
【従来の技術】
従来、醤油等の液体調味料を収容する容器といえば、その素材の種類を問わず、上蓋部から注出する構造であるため、使用時には容器体を必ず手に把持し、これを９０度以上傾けて使用するのが常識であり、傾注という日本語もあるほどである。
【０００３】
しかし、これでは傾注時に液体の洩れや上蓋の取外れなどの現象がしばしば起り、使用上の欠点となっていた。
【０００４】
【発明が解決しようとする課題】
そこで、本発明は、このような液体調味料容器の欠点を一掃する従来の常識を破る画期的なものを提供することを目的とするものである。
【０００５】
【課題を解決するための手段】
本発明は、上下両端が開口状態に成る容器体の上開口部に凹形状に成る上蓋を着脱自在に設け、容器体の下開口部には中央にノズルを設けた底蓋を着脱自在に設け、前記上蓋の凹形状部に降下する摘みの内側中央に作動部材の上端を連結し、この作動部材の延長上に設けた下側空間部にポンプ部材を設置し、このポンプ部材の中央部通孔を嵌通した細管材を前記底蓋のノズルに連通し、容器体の底面部から液体調味料を噴出させるようにして成るものである。
【０００６】
【発明の実施の形態】
いま容器体内部に醤油、ソース、油、その他任意の液体調味料を収容した状態においてこれを使用するときは、指先で上端中央の摘みを押下する。すると、内部の作動部材が、その延長線上の下側部内部に設置したポンプ部材を加圧するから、その圧力によって容器体内部の液体調味料が細管材から流下して、底蓋の中央ノズルから霧状となって噴出するようになる。
【０００７】
このように、容器体の上面の摘みに指先をかけて上下作動を繰返すことにより、容器体内部の液体調味料を容器体の底面部のノズルから連続して噴出せしめるようにするのである。
【０００８】
【実施例】
［第１実施例］
１は上下両端部が開口状態に成る容器体で、この容器体の形状や大きさは任意である。
【０００９】
２は前記容器体１の上開口部に螺装して取付ける上蓋で、この上蓋の蓋板３の中央部には通孔４を設け、蓋板３の上面部は凹形状部５に形成する。
【００１０】
前記上蓋２の凹形状部５には摘み７を配置し、この摘みへの押下作動により後記作動部材６を作動する。
【００１１】
６は上端部に前記摘み７を螺着した作動部材で、この作動部材は前記通孔４に挿通して容器体１下方部に至り、その延長上には下側空間部８を形成するように成る。
【００１２】
９は前記作動部材６の上側部適所に設けたストッパーで、このストッパーは前記上蓋２の蓋板３の内側に接離するようになる。
【００１３】
１０は前記作動部材６の下側空間部８の内部に設置するポンプ部材で、このポンプ部材の機構は任意である。
【００１４】
１１は前記ポンプ部材１０の頭部に連設する細ホースで、この細ホースは作動部材６の下側空間部８の一壁部から容器体１内部に入り、容器体１の下方部にその開口を向け、後記容器体内部１８の液体調味料を吸入するようになる。
【００１５】
１２は前記ポンプ部材１０の下蓋で、この下蓋の中央部に設けた通孔１２'をポンプ部材から細管材１３が嵌通している。
【００１６】
１４は前記容器体１の底面部で、この底面部の中央開口部１５には底蓋１６が螺装するが、この底蓋の中央部に設けたノズル１７に前記細管材１３が連通するように成る。
【００１７】
１８は前記容器体１の内部を示し、この内部には適当な液体調味料が収容されるものである。
【００１８】
［第２実施例］
他の実施例にあっても、上下両端部が開口状態に成る容器体１の上端部に嵌装する上蓋２の蓋板３の中央部に通孔４を設け、前記蓋板の上面部には凹形状部５を形成するが、この実施例では、容器体１の外形状は略平面四角形に構成する。
【００１９】
前記上蓋２の凹形状部５には摘み７を配置し、この摘みの裏面部中央には、前記蓋板３の通孔４に挿通した作動部材６の上端部を螺着する。
【００２０】
前記蓋板３の中央通孔４はその下側方に周壁１９を一体に形成し、前記作動部材６はこの周壁１９面をガイドに摺動するように成る。
【００２１】
前記作動部材６の中間適所にはストッパー９を突設し、このストッパーの上面部にはパッキング２０を設け、このパッキングは前記通孔４の周壁１９の底面部に接離するようになる。
【００２２】
前記作動部材６の下端部には開口部２１を形成し、この開口部には連杆２２の上端部を着脱自在に嵌合し、この連杆の延長上には下側空間部８を形成するように成る。
【００２３】
この連杆２２の下側空間部８には、任意機構のポンプ部材１０を設置する。
【００２４】
前記連杆２２の下側空間部８の周囲底面部には、間隔をおいて多数設けた小凹溝２３・・から成る凹凸部２４を形成する。
【００２５】
前記ポンプ部材１０が収容する下側空間部８の底面部には下蓋２５が嵌着し、この下蓋の上面部周囲にはパッキング２６を介装し、前記連杆２１の周囲底面の凹凸部２４はこのパッキング２６上に当接する。この凹凸部２４の小凹溝２３・・は、容器体内部１８からポンプ室となる下側空間部８に流入する液体調味料に対するストレーナーの役割をする。
【００２６】
前記下蓋２５の中央部に設けた通孔２７には、ポンプ室となる下側空間部８に連通する細管材１３を挿通し、この細管材は容器体１の底面部１４に螺装した底蓋１６の中央開口部１５に連設する。
【００２７】
前記底蓋１６の中央開口部１５の出口には噴出口となるノズル１７を気密状態に設け、このノズルには前記細管材１３が連通するように成る。
【００２８】
前記上蓋２の上面部の凹形状部５の平面周囲の相対位置には凹段部２８，２８を設けるとともにこの凹段部に隣接して凹溝部２９、２９を設け、前記凹形状部５に嵌置する前記摘み７の周囲相対位置に設けた突爪３０，３０は摘みを水平回動すると、前記凹段部２８，２８上に位置しているときは摘み７の上下作動を停止してロック状態にし、前記凹溝部２９、２９に位置したときは突爪は凹溝部に落下して摘み７も落下状態になるから、摘みを指先によって上下作動すれば、下方の作動部材６と連杆２１を介してポンプ部材１０の作用がなされるようになる。
【００２９】
【発明の効果】
本発明にかかる調味料容器にあっては、容器体内部に収容した液体調味料をその容器体底面部から下方向に噴出するようにしたものであるから、従来存する調味料容器とは全く別異の作用をするものとなり、注出しにくいとか、洩れ出し易いとか、傾注に神経を使わなければならないなどの欠点を解消することができるものとなり、きわめて使用し易い実用性の高い製品となったのである。
【図面の簡単な説明】
【図１】全体の正断面図で、(ａ)は不使用時の正断面図、(ｂ)は使用時の正断面図
【図２】全体の平面図
【図３】全体の底面図
【図４】図１Ａ−Ａ線の断面図
【図５】他例の全体の正断面図で、(ａ)は不使用時の正断面図、(ｂ)は使用時の正断面図
【図６】図５の要部の拡大正断面図
【図７】図５の要部の底面図
【図８】図７の正断面図
【図９】図５の全体の底面図
【図１０】図５の全体の平面図
【図１１】図１０のＢ−Ｂ線断面図
【符号の説明】
１                容器体
２                上蓋
３                蓋板
５                凹形状部
６                作動部材
７                摘み
８                下側空間部
９                ストッパー
１０                ポンプ部材
１２                下蓋
１３                細管材
１６                底蓋
１７                ノズル
１８                容器体内部
２２                連杆
２３・・             小凹溝
２４                凹凸部
２５                下蓋
２８，２８          凹段部
２９，２９          凹溝部
３０，３０          摘みの突爪
【図１】
0003679354.tif 000002
【図２】
0003679354.tif 000003
【図３】
0003679354.tif 000004
【図４】
0003679354.tif 000005
【図５】
0003679354.tif 000006
【図６】
0003679354.tif 000007
【図７】
0003679354.tif 000008
【図８】
0003679354.tif 000009
【図９】
0003679354.tif 000010
【図１０】
0003679354.tif 000011
【図１１】
0003679354.tif 000012